(57)【要約】【課題】すすぎ性、及び洗浄力に優れた衣料用粉末洗浄剤組成物を提供すること。【解決手段】水不溶性成分である成分（Ａ）、重量平均分子量５５０以上１００００未満であり、有機カルボン酸、有機カルボン酸の塩、及び有機カルボン酸アミドからなる群から選択される少なくとも１種のモノマーから構成されるポリマーである成分（Ｂ）、重量平均分子量が５５０未満であり、アミノカルボン酸、アミノカルボン酸の塩、ヒドロキシカルボン酸、及びヒドロキシカルボン酸の塩からなる群から選択される少なくとも１種の化合物である成分（Ｃ）、並びに界面活性剤である成分（Ｄ）を含む衣料用粉末洗浄剤組成物であって、前記成分（Ａ）の含有量が衣料用粉末洗浄剤組成物の総質量に対し３質量％以下であり、前記成分（Ｃ）の含有量が０．４質量％未満であり、成分（Ｂ）／成分（Ｃ）で表される質量比が２０〜１６０である、衣料用粉末洗浄剤組成物。【選択図】なし【特許請求の範囲】
【請求項１】
水不溶性成分である成分（Ａ）、
重量平均分子量５５０以上１００００未満であり、有機カルボン酸、有機カルボン酸の塩、及び有機カルボン酸アミドからなる群から選択される少なくとも１種のモノマーから構成されるポリマーである成分（Ｂ）、
重量平均分子量が５５０未満であり、アミノカルボン酸、アミノカルボン酸の塩、ヒドロキシカルボン酸、及びヒドロキシカルボン酸の塩からなる群から選択される少なくとも１種の化合物である成分（Ｃ）、並びに
界面活性剤である成分（Ｄ）を含む衣料用粉末洗浄剤組成物であって、
前記成分（Ａ）の含有量が衣料用粉末洗浄剤組成物の総質量に対し３質量％以下であり、
前記成分（Ｃ）の含有量が衣料用粉末洗浄剤組成物の総質量に対し０．４質量％未満であり、
成分（Ｂ）／成分（Ｃ）で表される質量比が２０〜１６０である、
衣料用粉末洗浄剤組成物。
【請求項２】
前記成分（Ｃ）が、１分子中にカルボキシル基を３つ以上有する化合物である、請求項１に記載の衣料用粉末洗浄剤組成物。
【請求項３】
前記成分（Ａ）がゼオライトであり、
前記成分（Ｂ）の重量平均分子量が５５０以上４５００未満であり、
前記成分（Ｃ）がジエチレントリアミンペンタ酢酸、ジエチレントリアミンペンタ酢酸塩、ヒドロキシイミノジコハク酸、及びヒドロキシイミノジコハク酸塩からなる群から選択される少なくとも１種の化合物である、
請求項１又は２に記載の衣料用粉末洗浄剤組成物。
【発明の詳細な説明】
【技術分野】
【０００１】
本発明は、衣料用粉末洗浄剤組成物に関する。
【背景技術】
【０００２】
一般的に、粉末洗剤においては、洗浄力を向上させるためにゼオライト等の水不溶性成分が使用されている。しかし、水不溶性成分は、洗濯後の衣類に残留し、すすぎ時の濁りの原因となる。濁りがあるとすすぎに要する水の量が増えたり、すすぎの回数が増え、すすぎが煩雑になるため好ましくない。一方、すすぎ時の濁りを減らしてすすぎを容易にする（すすぎ性の向上）のために、水不溶性成分の含有量を低減させると、洗浄力が低下してしまう。このため、すすぎ性と洗浄力の両立が望まれている。
【０００３】
特許文献１では、ゼオライトの含有量が５〜１５質量％である粒状洗浄剤組成物について開示している。
しかし、すすぎ性及び洗浄力の両立については何ら検討されていない。
【先行技術文献】
【特許文献】
【０００４】
【特許文献１】国際公開第２０１５／０１２２３５号
【発明の概要】
【発明が解決しようとする課題】
【０００５】
本発明は上記事情に鑑みてなされたものであり、本発明の目的は、すすぎ性、及び洗浄力に優れた衣料用粉末洗浄剤組成物を提供することである。
【課題を解決するための手段】
【０００６】
本発明者らは、鋭意検討した結果、以下の衣料用粉末洗浄剤組成物が、上記課題を解決できることを見出した。
すなわち本発明は、以下の態様を有する。
［１］水不溶性成分である成分（Ａ）、
重量平均分子量５５０以上１００００未満であり、有機カルボン酸、有機カルボン酸の塩、及び有機カルボン酸アミドからなる群から選択される少なくとも１種のモノマーから構成されるポリマーである成分（Ｂ）、
重量平均分子量が５５０未満であり、アミノカルボン酸、アミノカルボン酸の塩、ヒドロキシカルボン酸、及びヒドロキシカルボン酸の塩からなる群から選択される少なくとも１種の化合物である成分（Ｃ）、並びに
界面活性剤である成分（Ｄ）を含む衣料用粉末洗浄剤組成物であって、
前記成分（Ａ）の含有量が衣料用粉末洗浄剤組成物の総質量に対し３質量％以下であり、
前記成分（Ｃ）の含有量が衣料用粉末洗浄剤組成物の総質量に対し０．４質量％未満であり、
成分（Ｂ）／成分（Ｃ）で表される質量比が２０〜１６０である、
衣料用粉末洗浄剤組成物。
［２］前記成分（Ｃ）が、１分子中にカルボキシル基を３つ以上有する化合物である、［１］に記載の衣料用粉末洗浄剤組成物。
［３］前記成分（Ａ）がゼオライトであり、
前記成分（Ｂ）の重量平均分子量が５５０以上４５００未満であり、
前記成分（Ｃ）がジエチレントリアミンペンタ酢酸、ジエチレントリアミンペンタ酢酸塩、ヒドロキシイミノジコハク酸、及びヒドロキシイミノジコハク酸塩からなる群から選択される少なくとも１種の化合物である、
［１］又は［２］に記載の衣料用粉末洗浄剤組成物。
［４］成分（Ｂ）／成分（Ｃ）で表される質量比が３０〜１００である、
［１］〜［３］のいずれか一項に記載の衣料用粉末洗浄剤組成物。
［５］成分（Ｄ）がアニオン界面活性剤を含む、
［１］〜［４］のいずれか一項に記載の衣料用粉末洗浄剤組成物。
［６］成分（Ａ）／（成分（Ｂ）＋成分（Ｃ））で表される質量比が０．３〜５である、
［１］〜［５］のいずれか一項に記載の衣料用粉末洗浄剤組成物。
【発明の効果】
【０００７】
本発明によれば、すすぎ性、及び洗浄力に優れた衣料用粉末洗浄剤組成物を提供することができる。
【発明を実施するための形態】
【０００８】
［衣料用粉末洗浄剤組成物］
本発明の衣料用粉末洗浄剤組成物は、以下の成分（Ａ）、成分（Ｂ）、成分（Ｃ）、及び成分（Ｄ）を含有する。
【０００９】
≪成分（Ａ）≫
成分（Ａ）は水不溶性成分である。
本明細書において、「水不溶性成分」とは、イオン交換水１００ｍＬへの溶解度が０．１ｇ以下の成分を意味する。
成分（Ａ）としては、ゼオライト、天然又は合成されたモンモリロナイト、バイデライト、ノントロナイト、サポナイト、ソーコナイト、ヘクトライト、スチブンサイト等のスメクタイト族の粘土鉱物、バーミキュライト、合成フッ素雲母（例えば、Ｎａ型合成マイカ、Ｌｉ型合成マイカ）等を用いることができる。また、上記粘土鉱物をイオン交換して膨潤力を向上させた高金属イオン置換粘土鉱物等を用いることができる。なかでもキレート効果があることから、ゼオライト、ベントナイトが好ましい。
ゼオライトとはアルミノ珪酸塩の総称であり、アルミノ珪酸塩としては、結晶性、非晶質（無定形）のいずれのものも使用できる。カチオン交換能の点から、結晶性アルミノ珪酸塩が好ましい。結晶性アルミノ珪酸塩としては、Ａ型、Ｘ型、Ｙ型、Ｐ型ゼオライト等が挙げられ、いずれのものも使用できる。
ベントナイトとはモンモリロナイトを主成分とするものである。
成分（Ａ）は、いずれか１種を単独で用いても、２種以上を併用してもよい。
衣料用粉末洗浄剤組成物において、成分（Ａ）の一部は、水、必要に応じて他の成分と配合されスラリーとされ、噴霧乾燥により噴霧乾燥粒子とされる。この噴霧乾燥粒子はそのまま、又は水、必要に応じて他の成分を加えて捏和、粉砕して粒子として衣料用粉末洗浄剤組成物に配合される。
成分（Ａ）の含有量は、衣料用粉末洗浄剤組成物の総質量に対し、０質量％超３質量％以下であり、１〜２．５質量％がより好ましい。
成分（Ａ）の含有量が上記上限値以下であると、すすぎ性を向上しやすくなる。
成分（Ａ）の含有量が上記下限値以上であると、洗浄力を向上しやすくなる。
成分（Ａ）の平均粒子径は１００〜２０００μｍが好ましく、４００〜１０００μｍが好ましい。なお、平均粒子径は、レーザ光散乱法（例えば、粒度分布測定装置（ＬＤＳＡ−３４００Ａ（１７ｃｈ）、東日コンピューターアプリケーションズ株式会社製）によって測定することができる。
【００１０】
≪成分（Ｂ）≫
成分（Ｂ）は、重量平均分子量５５０以上１００００未満であり、有機カルボン酸、有機カルボン酸の塩、及び有機カルボン酸アミドからなる群から選択される少なくとも１種のモノマーから構成されるポリマーである。
有機カルボン酸とは、炭素を含む有機基を有し、カルボキシル基を有する化合物を意味する。
有機カルボン酸アミドとは、有機カルボン酸のアミドを意味する。
成分（Ｂ）を構成する有機カルボン酸又はその塩としては、具体的には、アクリル酸、メタクリル酸、α−ヒドロキシアクリル酸、アクリル酸アミド、マレイン酸、イタコン酸、フマル酸、テトラメチレン−１，２−ジカルボン酸、コハク酸、アスパラギン酸又はこれらの塩が挙げられる。
成分（Ｂ）を構成する塩としては、ナトリウム塩、カリウム塩等のアルカリ金属塩；マグネシウム塩、カルシウム塩等のアルカリ土類金属塩；モノエタノールアミン塩（モノエタノールアンモニウム）、ジエタノールアミン塩（ジエタノールアンモニウム）、トリエタノールアミン塩（トリエタノールアンモニウム）等のアルカノールアミン塩；アンモニウム塩などが挙げられる。
成分（Ｂ）の重量平均分子量は、５５０以上１００００未満であり、５５０以上４５００未満がより好ましく、７００以上４５００未満がさらに好ましい。
ポリマーの重量平均分子量が上記上限値未満であると、スラリーの粘度や水保持力を適度に保つことができ、衣料用粉末洗浄剤組成物の製造における乾燥工程で不具合が生じることがない。そのため、期待される効果を有する衣料用粉末洗浄剤組成物の乾燥粉を製造することができる。
成分（Ｂ）の重量平均分子量が上記下限値以上であると、洗浄力を向上しやすくなる。
なお、重量平均分子量は、標準物質をポリアクリル酸ナトリウムとしたゲル浸透クロマトグラフィーにより測定される値を示す。
成分（Ｂ）中、有機カルボン酸又はその塩から誘導される構成単位の割合は、ポリマーを構成する構成単位の総質量に対し、５０〜１００質量％が好ましく、１００質量％がより好ましい。
成分（Ｂ）は、同一の構成単位の繰り返しからなる重合体であってもよく、複数種の構成単位の繰り返しからなる共重合体であってもよい。複数種の構成単位の繰り返しからなる共重合体である場合、その共重合体は、ランダム共重合体であってもよく、ブロック共重合体であってもよい。
具体例としては、たとえばポリアクリル酸、ポリメタクリル酸、ポリマレイン酸、ポリヒドロキシアクリル酸、ポリフマル酸、アクリル酸とマレイン酸との共重合体（アクリル酸マレイン酸共重合体）、アクリル酸とアクリル酸アミドとの共重合体（アクリル酸アクリル酸アミド共重合体）、又はこれらの塩等が挙げられる。
上記の中でも、ポリアクリル酸又はその塩、アクリル酸マレイン酸共重合体又はその塩が好ましい。アクリル酸マレイン酸共重合体において、アクリル酸に由来する構成単位とマレイン酸に由来する構成単位の質量比は、［アクリル酸に由来する構成単位の総質量］／［マレイン酸に由来する構成単位の総質量］で表して、０．０５〜３．０が好ましい。
成分（Ｂ）は、いずれか１種を単独で用いても、２種以上を併用してもよい。
成分（Ｂ）の含有量は、衣料用粉末洗浄剤組成物の総質量に対して、０.５〜１０．０質量％が好ましく、２．０〜５．０質量％がより好ましい。
成分（Ｂ）の含有量が、上記上限値以下であると、配合コストに見合う洗浄力が得られやすくなる。
成分（Ｂ）の含有量が、上記下限値以上であると、洗浄力を向上しやすくなる。
【００１１】
≪成分（Ｃ）≫
成分（Ｃ）は、重量平均分子量が５５０未満であり、アミノカルボン酸、アミノカルボン酸の塩、ヒドロキシカルボン酸、及びヒドロキシカルボン酸の塩からなる群から選択される少なくとも１種の化合物である。
アミノカルボン酸とは、１分子中に窒素原子とカルボキシル基とを持つ化合物を意味する。
ヒドロキシカルボン酸とは、１分子中にカルボキシル基とアルコール性ヒドロキシ基とを持つ化合物のうち、アミノカルボン酸に該当しないものを意味する。
成分（Ｃ）の重量平均分子量は５５０未満であり、４００以下が好ましく、５０以上が好ましく、１００以上がより好ましい。
成分（Ｃ）は、主に水道水中、あるいは汚れに含まれる多価金属イオンを捕捉すると考えられるものであって、これを水に溶かしたときに、多価金属イオンを捕捉する作用を有するものである。
つまり、成分（Ｃ）はキレート剤であり、アミノカルボン酸系キレート剤、及びヒドロキシカルボン酸系キレート剤が好ましい。
アミノカルボン酸系キレート剤とは、１分子中に窒素原子とカルボキシル基とを持つキレート剤を意味する。
ヒドロキシカルボン酸系キレート剤とは、１分子中にカルボキシル基とアルコール性ヒドロキシ基とを持つキレート剤のうち、アミノカルボン酸系キレート剤に該当しないものを意味する。
アミノカルボン酸系キレート剤としては、ニトリロトリ酢酸又はその塩、エチレンジアミンテトラ酢酸又はその塩、ジエチレントリアミンペンタ酢酸又はその塩、β−アラニンジ酢酸又はその塩、アスパラギン酸ジ酢酸又はその塩、メチルグリシンジ酢酸又はその塩、イミノジコハク酸又はその塩、エチレンジアミンジコハク酸又はその塩等のアミノカルボン酸又はその塩；セリンジ酢酸又はその塩、ヒドロキシイミノジコハク酸又はその塩、ヒドロキシエチルエチレンジアミン三酢酸又はその塩、ジヒドロキシエチルグリシン又はその塩等のヒドロキシアミノカルボン酸又はその塩が挙げられる。
ヒドロキシカルボン酸系キレート剤としては、クエン酸又はその塩、酒石酸又はその塩、グルコン酸又はその塩が挙げられる。
なかでも、カルボキシル基を分子中に３つ以上有する化合物が好ましく、カルボキシル基を分子中に４つ以上有する化合物がより好ましい。カルボキシル基は分子中に１０以下が好ましく、５つ以下がより好ましい。具体的には、ジエチレントリアミンペンタ酢酸又はその塩、ヒドロキシイミノジコハク酸又はその塩、エチレンジアミンジコハク酸又はその塩等が挙げられる。
成分（Ｃ）を構成する塩としては、ナトリウム塩、カリウム塩等のアルカリ金属塩；マグネシウム塩、カルシウム塩等のアルカリ土類金属塩；モノエタノールアミン塩（モノエタノールアンモニウム）、ジエタノールアミン塩（ジエタノールアンモニウム）、トリエタノールアミン塩（トリエタノールアンモニウム）等のアルカノールアミン塩；アンモニウム塩などが挙げられる。
成分（Ｃ）は、いずれか１種を単独で用いても、２種以上を併用してもよい。
衣料用粉末洗浄剤組成物が固体である場合、成分（Ｃ）の含有量は、衣料用粉末洗浄剤組成物の総質量に対して、０質量％超０．４質量％未満であり、０.０２質量％以上０．４質量％未満が好ましく、０．０５〜０．２質量％がより好ましい。
成分（Ｃ）の含有量が、上記上限値以下であると、配合コストに見合う洗浄力が得られやすくなる。
成分（Ｃ）の含有量が、上記下限値以下であると、洗浄力を向上しやすくなる。
【００１２】
成分（Ｂ）／成分（Ｃ）で表される質量比（以下、Ｂ／Ｃ比ともいう）は、２０〜１６０であり、３０〜１００が好ましい。
Ｂ／Ｃ比が上記上限値以下であると、洗浄力を向上しやすくなる。
Ｂ／Ｃ比が上記下限値以上であると、すすぎ性を向上しやすくなる。
【００１３】
成分（Ａ）／（成分（Ｂ）＋成分（Ｃ））で表される質量比（以下、Ａ／（Ｂ＋Ｃ）比ともいう）は、０．３〜５が好ましく、０．５〜２がより好ましい。
Ａ／（Ｂ＋Ｃ）比が上記上限値以下であると、洗浄力を向上しやすくなる。
Ａ／（Ｂ＋Ｃ）比が上記下限値以上であると、すすぎ性を向上しやすくなる。
【００１４】
≪成分（Ｄ）≫
成分（Ｄ）は、界面活性剤である。成分（Ｄ）を含有することで、各種の汚れに対する洗浄力を発揮する。
成分（Ｄ）としては、従来、洗浄剤に用いられるものでよく、例えば、アニオン界面活性剤、ノニオン界面活性剤、カチオン界面活性剤等が挙げられ、中でも、アニオン界面活性剤、ノニオン界面活性剤が好ましく、アニオン界面活性剤がより好ましい。これらの成分（Ｄ）を用いることで、洗浄力をより高められる。
成分（Ｄ）は、いずれか１種を単独で用いても、２種以上を併用してもよい。
成分（Ｄ）の含有量は、衣料用粉末洗浄剤組成物の剤形や、成分（Ｄ）の種類等を勘案して決定される。
例えば、成分（Ｄ）の含有量は、衣料用粉末洗浄剤組成物の総質量に対し、５〜３０質量％が好ましく、１５〜２５質量％がより好ましい。
成分（Ｄ）の含有量を上記上限値以下とすることにより、衣料用粉末洗浄剤組成物の流動性、水への分散性を向上しやすくなる。
成分（Ｄ）の含有量を上記下限値以上とすることにより、洗浄力を向上しやすくなる。
【００１５】
アニオン界面活性剤としては、例えば、以下のものが挙げられる。
（１）炭素数８〜１８のアルキル基を有する直鎖又は分岐鎖のアルキルベンゼンスルホン酸塩（ＬＡＳ又はＡＢＳ）。
（２）炭素数１０〜２０のアルカンスルホン酸塩。
（３）炭素数１０〜２０のα−オレフィンスルホン酸塩（ＡＯＳ）。
（４）炭素数１０〜２０のアルキル硫酸塩又はアルケニル硫酸塩（ＡＳ） 。
（５）炭素数２〜４のアルキレンオキシドのいずれか、又はエチレンオキシドとプロピレンオキシド（モル比ＥＯ／ＰＯ＝０．１／９．９〜９．９／０．１）を、平均０．５〜１０モル付加した炭素数１０〜２０の直鎖又は分岐鎖のアルキル（又はアルケニル）基を有するアルキル（又はアルケニル）エーテル硫酸塩（ＡＥＳ）。
（６）炭素数２〜４のアルキレンオキシドのいずれか、又はエチレンオキシドとプロピレンオキシド（モル比ＥＯ／ＰＯ＝０．１／９．９〜９．９／０．１）を、平均３〜３０モル付加した炭素数１０〜２０の直鎖又は分岐鎖のアルキル（又はアルケニル）基を有するアルキル（又はアルケニル）フェニルエーテル硫酸塩。
（７）炭素数２〜４のアルキレンオキシドのいずれか、又はエチレンオキシドとプロピレンオキシド（モル比ＥＯ／ＰＯ＝０．１／９．９〜９．９／０．１）を、平均０．５〜１０モル付加した炭素数１０〜２０の直鎖又は分岐鎖のアルキル（又はアルケニル）基を有するアルキル（又はアルケニル）エーテルカルボン酸塩。
（８）炭素数１０〜２０のアルキルグリセリルエーテルスルホン酸のようなアルキル多価アルコールエーテル硫酸塩。
（９）長鎖モノアルキル、ジアルキル又はセスキアルキルリン酸塩。
（１０）ポリオキシエチレンモノアルキル、ジアルキル又はセスキアルキルリン酸塩。
（１１）石鹸。
石鹸としては、脂肪酸の平均炭素数が１０〜２０、好ましくは炭素数１２〜１８の高級脂肪酸のアルカリ金属塩、より好ましくはナトリウム又はカリウム塩が挙げられる。脂肪酸のアルキル基は１級であるのが好ましい。石鹸としては、単一鎖長のものでも、２種以上の鎖長のものの混合物でもよい。
アニオン界面活性剤における塩は、ナトリウム、カリウム等のアルカリ金属塩や、アミン塩、アンモニウム塩等が挙げられる。
アニオン界面活性剤は、いずれか１種を単独で用いても、２種以上を併用してもよい。
【００１６】
アニオン界面活性剤の含有量は、衣料用粉末洗浄剤組成物の剤形や、アニオン界面活性剤の種類等を勘案して決定される。
例えば、アニオン界面活性剤の含有量は、衣料用粉末洗浄剤組成物の総質量に対し、５〜３０質量％が好ましく、１０〜２５質量％がより好ましい。
アニオン界面活性剤の含有量が上記上限値以下であると、衣料用粉末洗浄剤組成物の流動性、水への分散性を向上しやすい。
アニオン界面活性剤の含有量が上記下限値以上であると、洗浄力を向上しやすい。
【００１７】
成分（Ｄ）は、少なくともアニオン界面活性剤を含有するのが好ましい。アニオン界面活性剤を含有することで、洗浄力をより高められる。
成分（Ｄ）としては、アルキルベンゼンスルホン酸塩とα−スルホ脂肪酸エステル塩とを併有するのが好ましい。これらのアニオン界面活性剤を併有することで、浸漬洗浄法における洗浄力の向上を図りやすい。
アルキルベンゼンスルホン酸塩とα−スルホ脂肪酸エステル塩とを併有する場合、その質量比は、アルキルベンゼンスルホン酸塩／α−スルホ脂肪酸エステル塩で表して、０．５〜１００が好ましく、２．０〜２０がより好ましい。
アルキルベンゼンスルホン酸塩としては、洗浄力を高める観点から、直鎖アルキルベンゼンスルホン酸塩が好ましい。
直鎖アルキルベンゼンスルホン酸塩のアルキル基の炭素数は、１０〜１８が好ましい。
直鎖アルキルベンゼンスルホン酸塩を構成する塩としては、アルカリ金属が好ましく、ナトリウムがより好ましい。
直鎖アルキルベンゼンスルホン酸塩の含有量は、剤形等を勘案して適宜決定される。例えば、直鎖アルキルベンゼンスルホン酸塩の含有量は、衣料用粉末洗浄剤組成物の総質量に対し、１０〜２０質量％が好ましく、１０〜１５質量％がより好ましい。
直鎖アルキルベンゼンスルホン酸塩の含有量が上記上限値以下であると、衣料用粉末洗浄剤組成物の流動性、水への分散性を向上しやすい。
直鎖アルキルベンゼンスルホン酸塩の含有量が上記下限値以上であると、洗浄力を向上しやすい。
α−スルホ脂肪酸エステル塩は、下記一般式（ａ１）で表される。
【００１８】
【化１】
2017149936.tif 000002
【００１９】
［（ａ１）式中、Ｒ１は炭素数８〜１８の炭化水素基であり、Ｒ２は炭素数１〜６の炭化水素基であり、Ｍは対イオンである。］
（ａ１）式中、Ｒ１の炭化水素基は、直鎖でも分岐鎖でもよく、又は環状の構造を含んでいてもよい。中でも、Ｒ１の炭化水素基は、脂肪族炭化水素基が好ましく、直鎖もしくは分岐鎖のアルキル基、又は直鎖もしくは分岐鎖のアルケニル基がより好ましく、直鎖のアルキル基、直鎖のアルケニル基がさらに好ましい。
Ｒ１の炭素数は、８〜１８であり、１０〜１８が好ましく、１０〜１６がより好ましく、１４〜１６がさらに好ましい。
（ａ１）式中、Ｒ２の炭化水素基は、直鎖でも分岐鎖でもよく、環状の構造を含んでいてもよい。中でも、Ｒ２の炭化水素基は、脂肪族炭化水素基が好ましく、直鎖もしくは分岐鎖のアルキル基、又は直鎖もしくは分岐鎖のアルケニル基がより好ましく、直鎖のアルキル基、直鎖のアルケニル基がさらに好ましい。
Ｒ２の炭素数は、１〜６であり、１〜３であることが好ましい。
Ｒ２の炭化水素基として、例えば、メチル基、エチル基、ｎ−プロピル基、イソプロピル基が挙げられ、洗浄力をより高める観点から、メチル基、エチル基、ｎ−プロピル基が好ましく、メチル基がより好ましい。
（ａ１）式中、Ｍは、対イオンであり、Ｒ１ＣＨ（ＣＯＯＲ２）ＳＯ３−と共に水溶性の塩を形成し得るものであればよい。該対イオンとしては、アルカリ金属イオン、プロトン化したアミン、アンモニウム等が挙げられる。
該対イオンとなり得るアルカリ金属としては、ナトリウム、カリウム等が挙げられる。  該対イオンとなり得るアミンは、１〜３級のいずれでもよく、総炭素数が１〜６であることが好ましい。該アミンは、ヒドロキシ基を有していてもよく、低温条件下（５℃以下）において、洗浄剤の水に対する溶解性が高まることから、ヒドロキシ基を有していることが好ましい。このようなアミンとしては、アルカノールアミンが挙げられ、該アルカノール基の炭素数は１〜３が好ましい。アルカノールアミンとしては、モノエタノールアミン、ジエタノールアミン、トリエタノールアミン等が挙げられる。中でも、Ｍとしては、アルカリ金属イオンが好ましい。
α−スルホ脂肪酸エステル塩の含有量は、洗浄剤の剤形等を勘案して決定される。例えば、α−スルホ脂肪酸エステル塩の含有量は、衣料用粉末洗浄剤組成物の総質量に対し、１〜１０質量％が好ましく、２〜７質量％がより好ましい。
α−スルホ脂肪酸エステル塩の含有量が上記上限値以下であると、衣料用粉末洗浄剤組成物の流動性、水への分散性を向上しやすい。
α−スルホ脂肪酸エステル塩の含有量が上記下限値以上であると、洗浄力を向上しやすい。
α−スルホ脂肪酸エステル塩は、従来公知の製造方法により製造される。α−スルホ脂肪酸エステル塩の製造方法は、例えば、特開２０１１−１２１９９６号公報に記載された製造方法が挙げられる。
【００２０】
ノニオン界面活性剤としては、従来、洗浄剤に用いられるものであれば特に限定されず、例えば、以下のものが挙げられる。
（１）炭素数６〜２２、好ましくは８〜１８の脂肪族アルコールに炭素数２〜４のアルキレンオキシドを平均３〜３０モル、好ましくは３〜２０モル、さらに好ましくは５〜２０モル付加したポリオキシアルキレンアルキル（又はアルケニル）エーテル。この中でも、ポリオキシエチレンアルキル（又はアルケニル）エーテル、ポリオキシエチレンポリオキシプロピレンアルキル（又はアルケニル）エーテルが好適である。ここで使用される脂肪族アルコールとしては、第１級アルコールや、第２級アルコールが挙げられる。また、そのアルキル基は、分岐鎖を有していてもよい。脂肪族アルコールとしては、第１級アルコールが好ましい。
（２）ポリオキシエチレンアルキル（又はアルケニル）フェニルエーテル。
（３）長鎖脂肪酸アルキルエステルのエステル結合間にアルキレンオキシドが付加した脂肪酸アルキルエステルアルコキシレート。
（４）ポリオキシエチレンソルビタン脂肪酸エステル。
（５）ポリオキシエチレンソルビット脂肪酸エステル。
（６）ポリオキシエチレン脂肪酸エステル。
（７）ポリオキシエチレン硬化ヒマシ油。
（８）グリセリン脂肪酸エステル。
ノニオン界面活性剤は、いずれか１種を単独で用いても、２種以上を併用してもよい。
ノニオン界面活性剤の含有量は、洗浄剤の剤形や、ノニオン界面活性剤の種類等を勘案して決定される。
例えば、ノニオン界面活性剤の含有量は、衣料用粉末洗浄剤組成物の総質量に対し、０．１〜３質量％が好ましく、０．５〜２質量％がより好ましい。
ノニオン界面活性剤の含有量が上記上限値以下であると、衣料用粉末洗浄剤組成物の流動性、水への分散性を向上しやすい。
ノニオン界面活性剤の含有量が上記下限値以上であると、洗浄力を向上しやすい。
【００２１】
＜任意成分＞
本発明の衣料用粉末洗浄剤組成物は、本発明の効果を損なわない範囲で、成分（Ａ）〜（Ｄ）以外に、漂白剤、漂白活性化剤、アルカリビルダー、無機塩、溶媒、防腐剤、蛍光増白剤、再汚染防止剤、泡コントロール剤、減粘剤、可溶化剤、酵素、着香剤、着色剤、乳濁化剤、エキス類、ｐＨ調整剤、香料等、従来、洗浄剤に配合される成分を含有してもよい。
ｐＨ調整剤としては、例えば、硫酸、塩酸等の酸性化合物；モノエタノールアミン、ジエタノールアミン、トリエタノールアミン等のアルカノールアミン、水酸化ナトリウム、水酸化カリウム等のアルカリ性化合物が挙げられる。中でも、ｐＨ調整剤としては、被洗物を浸漬する前後における洗浄液のｐＨを任意のｐＨに維持しやすい点で、硫酸、水酸化ナトリウム、水酸化カリウム、アルカノールアミンが好ましく、硫酸、水酸化ナトリウムがより好ましい。ｐＨ調整剤は、いずれか１種を単独で用いても、２種以上を併用してもよい。
アルカリビルダーとしては、従来公知のものを用いることができ、例えば、アルカリ金属の炭酸塩又は炭酸水素塩、アルカリ金属の珪酸塩、アミン等が挙げられる。
アルカリ金属の炭酸塩としては、炭酸ナトリウム、炭酸カリウム、炭酸カリウムナトリウム、セスキ炭酸ナトリウム等が挙げられる。
アルカリ金属の炭酸水素塩としては、炭酸水素ナトリウム、炭酸水素カリウム等が挙げられる。
アルカリ金属の珪酸塩としては、珪酸ナトリウム、層状珪酸ナトリウム、メタ珪酸ナトリウム、オルソ珪酸ナトリウム等が挙げられる。
アミンとしては、モノエタノールアミン、ジエタノールアミン、トリエタノールアミン等が挙げられる。
珪酸塩は、一般的に炭酸塩よりもｐＨが高く、炭酸塩は一般的に珪酸塩よりもｐＨ緩衝能が高い。よって、洗浄剤は、炭酸塩と珪酸塩とを併有するのが好ましい。
成分（Ａ）〜（Ｄ）、及び任意成分の含有量の合計は１００質量％を超えない。
【００２２】
本発明の衣料用粉末洗浄剤組成物の剤型は、シート状、タブレット状等の固体でもよい。
衣料用粉末洗浄剤組成物の平均粒子径は、特に限定されないが、例えば、２００〜１５００μｍが好ましく、２５０〜１０００μｍがより好ましく、３００〜７００μｍがさらに好ましい。
平均粒子径が上記上限値以下であれば、水に溶解しやすい。
平均粒子径が上記下限値以上であれば、使用時に粉立ちしにくい。
なお、粉末の衣料用粉末洗浄剤組成物の平均粒子径は、質量基準のメディアン径（質量頻度の積算値が５０質量％になる粒子径）である。
【００２３】
［衣料用粉末洗浄剤組成物の製造方法］
本発明の衣料用粉末洗浄剤組成物は、従来公知の粉末洗剤等の製造方法により製造される。
【００２４】
衣料用粉末洗浄剤組成物の製造方法としては、各原料を粉体混合するドライブレンド法、粉体原料を流動させながら造粒する乾式造粒法、粉体原料を流動させながら液体バインダーを噴霧して造粒する撹拌造粒法、原料を捏和してこれを押出機で押し出す押出造粒法、原料を捏和してこれを粉砕する粉砕造粒法、原料を含有するスラリーを噴霧乾燥する噴霧乾燥法等が挙げられる。
【００２５】
［衣料用粉末洗浄剤組成物の使用方法］
衣料用粉末洗浄剤組成物の使用方法（即ち、洗浄方法）は、従来公知の洗浄方法と同様である。
洗浄方法としては、例えば、衣料用粉末洗浄剤組成物を任意の濃度となるように水に分散して洗浄液とし、これに被洗物を任意の時間浸漬し、次いで、被洗物を水で濯ぐ方法（浸漬洗浄法）が挙げられる。
洗浄液中の衣料用粉末洗浄剤組成物の含有量は、衣料用粉末洗浄剤組成物の組成や剤形等に応じて適宜決定される。例えば、洗浄液中の衣料用粉末洗浄剤組成物の含有量は、０．１〜０．６質量％が好ましく、０．４〜０．６質量％がより好ましく、０．５質量％がさらに好ましい。
上記下限値未満では、洗浄効果が低下するおそれがあり、上記上限値超では、洗浄液中に溶け残りが生じたり、すすぎが煩雑になるおそれがある。
洗浄液のｐＨは、特に限定されないが、８〜１０．５が好ましい。上記下限値以上であれば、すすぎ性を向上しやすくなり、上記上限値以下であると、洗浄力を向上しやすくなる。
【００２６】
また、洗浄方法としては、洗浄液に被洗物を浸漬しつつ、人手で被洗物を擦り洗いする方法が挙げられる。この洗浄方法において、洗浄液中の衣料用粉末洗浄剤組成物の含有量は、浸漬洗浄法における洗浄液中の衣料用粉末洗浄剤組成物の含有量と同様である。
【００２７】
あるいは、洗浄方法としては、洗浄液と被洗物とを洗濯機に投入し、洗浄液を攪拌する方法が挙げられる。この洗浄方法において、洗浄液中の衣料用粉末洗浄剤組成物の含有量は、０．０５〜０．２質量％が好ましく、０．１〜０．２質量％がより好ましい。上記下限値以上であれば、洗浄力を向上しやすくなり、上記上限値以下であれば、すすぎ性を向上しやすくなる。
【００２８】
被洗物としては、特に限定されないが、例えば、衣料、布巾、シーツ、カーテン等の繊維製品が好ましい。本発明の洗浄剤は、繊維製品に対して優れた洗浄力を発揮できるためである。
【００２９】
以上、説明した通り、本発明の衣料用粉末洗浄剤組成物は、成分（Ａ）を特定の含有量で含有し、成分（Ｂ）を含有し、成分（Ｃ）を特定の含有量で含有し、成分（Ｄ）を含有し、Ｂ／Ｃ比が特定の範囲内であるため、すすぎ性、及び洗浄力に優れる。
【実施例】
【００３０】
以下に実施例を用いて本発明をさらに詳しく説明するが、本発明はこれら実施例に限定されるものではない。
各例の衣料用粉末洗浄剤組成物の組成（含有量（質量％））を表１及び２に示す。
表中、空欄の配合成分がある場合、その配合成分は配合されていない。
表中、「バランス」は、衣料用粉末洗浄剤組成物に含まれる全配合成分の合計の配合量が１００質量％となるように加えられる残部を意味する。
本実施例において使用した原料は下記の通りである。
【００３１】
≪成分（Ａ）≫
・Ａ−１：Ａ型ゼオライト（商品名：シルトンＢ（粉末中に水分を２０質量％含有）、水澤化学株式会社製）。
・Ａ−２：ベントナイト（商品名：ベントナイト、ＡＭＣＯＬ社製）。
【００３２】
≪成分（Ｂ）≫
・Ｂ−１：ポリアクリル酸ナトリウム塩（分子量：２０００）（商品名：Ａｃｕｓｏｌ４２０Ｎ、Ｄｏｗ  Ｃｈｅｍｉｃａｌ社製）。
・Ｂ−２：ポリアクリル酸ナトリウム塩（分子量：４０００）（商品名：Ａｃｕｓｏｌ４４５Ｎ、Ｄｏｗ  Ｃｈｅｍｉｃａｌ社製）。
・Ｂ−３：ポリアクリル酸マレイン酸ナトリウム塩共重合体（分子量：４０００、アクリル酸に由来する構成単位：マレイン酸に由来する構成単位＝８：２（モル比））（商品名：Ａｃｕｓｏｌ４２５Ｎ、Ｄｏｗ  Ｃｈｅｍｉｃａｌ社製）。
・Ｂ−４：ポリアクリル酸マレイン酸ナトリウム塩共重合体（分子量：７００００、アクリル酸に由来する構成単位：マレイン酸に由来する構成単位＝７：３（モル比））（商品名：ソカランＣＰ５、ＢＡＳＦ社製）、成分（Ｂ）の比較品。
【００３３】
≪成分（Ｃ）≫
・Ｃ−１：ジエチレントリアミンペンタ酢酸５ナトリウム（商品名：Ｖｅｒｓｅｎｅｓ８０、Ｄｏｗ  Ｃｈｅｍｉｃａｌ社製）。
・Ｃ−２：ヒドロキシイミノジコハク酸４ナトリウム（商品名：ＨＩＤＳ、株式会社日本触媒製）。
・Ｃ−３：エチレンジアミンジコハク酸３ナトリウム（商品名：ＥＤＤＳ  Ｓ−３５、キレスト株式会社製）。
・Ｃ−４：メチルグリシンジ酢酸３ナトリウム（商品名：Ｔｒｉｌｏｎ  Ｍ  Ｌｉｑｕｉｄ、ＢＡＳＦ社製）。
・Ｃ−５：クエン酸３ナトリウム（商品名：クエン酸、扶桑化学工業社製）。
【００３４】
≪成分（Ｄ）≫
・Ｄ−１：直鎖アルキルベンゼンスルホン酸ナトリウム（ＬＡＳ）（アルキル基の炭素数：１０〜１４）（商品名：ライポンＬＳ−２５０、ライオン株式会社）。
・Ｄ−２：α−スルホ脂肪酸メチルエステル塩（式（ａ１）中、Ｒ１が炭素数１４のアルキル基、Ｒ２がメチル基であるα−スルホ脂肪酸エステル塩：式（ａ１）中、Ｒ１が炭素数１６のアルキル基、Ｒ２がメチル基であるα−スルホ脂肪酸エステル塩＝８５：１５（質量比）の混合物）（商品名：ＭＩＺＵＬＡＮ  Ｐ−８２、ライオンエコケミカルズ株式会社製）。
【００３５】
≪任意成分≫
・過炭酸ナトリウム（商品名：ＳＰＣＣ-８Ｊ、Ｚｈｅｊｉａｎｇ Ｊｉｎｋｅ Ｃｈｅｍｉｃａｌｓ Ｃｏ．，Ｌｔｄ．社製）。
・ＮＯＢＳ：ノナノイルオキシベンゼンスルホン酸ナトリウム（商品名：ＮＯＢＳ、Ｆｕｔｕｒｅ  Ｆｕｅｌ社製）。
・炭酸ナトリウム（商品名：ソーダ灰（粒灰）、東ソー株式会社製）。
・珪酸ナトリウム（商品名：粉末珪酸ソーダ２号、日本化学工業株式会社製）。
・硫酸ナトリウム（商品名：ボウ硝、日本化学工業株式会社製）。
・亜硫酸ナトリウム（商品名：亜硫酸ナトリウム、日本化学工業株式会社製）。
・酵素Ａ（商品名：Ｄｅｏｚｙｍｅ、ＮＯＶＯ社製）。
・酵素Ｂ（商品名：ＳｕｐｅｒｉｏＲ、ＮＯＶＯ社製）。
・酵素Ｃ（商品名：ＳｍａｒｔＲ、ＮＯＶＯ社製）。
・酵素Ｄ（商品名：ＣｌｅａｎＲ、ＮＯＶＯ社製）。
・蛍光増白剤（商品名：チノパールＣＢＳ、ＢＡＳＦ社製）。
・香料（特開２００２−１４６３９９号公報記載の香料組成物Ａ）。
【００３６】
＜実施例１〜１５、比較例１〜４＞
実施例１〜１５、比較例４において、表１、２に記載した衣料用粉末洗浄剤組成物の成分のうち、成分（Ａ）、成分（Ｂ）、成分（Ｃ）、成分（Ｄ）（成分（Ｄ）のうちＬＡＳ）、珪酸ナトリウム、硫酸ナトリウムを用い、温度約７０℃で固形分６０質量％となるように洗剤スラリーを調製した。原料の添加順序は特に限定しなかった。７０℃で約２時間スラリーを撹拌し、向流式噴霧乾燥塔を用いて熱風温度２６０℃で水分約６質量％となるように乾燥して噴霧乾燥粉を得た。
噴霧乾燥粉に対し、表１、２に示した香料成分以外の残りの成分を乾式混合し、続いて香料を噴霧混合し、粉末の衣料用粉末洗浄剤組成物を作製した。
比較例１では、成分（Ｂ）を加えないこと以外は上記と同様にして粉末の衣料用粉末洗浄剤組成物を作製成した。
比較例２では、成分（Ｂ）を比較品に変更した以外は上記と同様にして粉末の衣料用粉末洗浄剤組成物を作製した。
比較例３では、成分（Ｃ）を加えないこと以外は上記と同様にして粉末の衣料用粉末洗浄剤組成物を作製した。
【００３７】
［洗浄力評価］
色差計（日本電色工業社製、製品名：ＳＥ−２０００）で、洗浄前の人工汚染布（商品名：ｗｆｋ１０ＴＥ、ｗｆｋ社製）５枚（以下、汚垢布という）の反射率を測定した（ハンター白度Ｚから反射率  Ｒ＝Ｚ／１００として算出する。以下同様。）。Ｔｅｒｇ−Ｏ−Ｔｏｍｅｔｅｒ（Ｕ．Ｓ．Ｔｅｓｔｉｎｇ社製）を洗浄試験器として用い、汚垢布５枚とチャージ布（メリヤス布を細かく裁断し、十分に洗浄とすすぎを行い乾燥したもの）を所定の浴比（３０倍）となるように秤量して洗浄槽に入れ、続いて洗浄槽に洗浄液を入れた。洗浄液は２５℃の水道水９００ｍＬに衣料用粉末洗浄剤組成物を濃度１６６７ｐｐｍ（質量基準）となるように溶解したものを用いた。
回転数１２０ｒｐｍ、温度２５℃で１０分間洗浄した後、２５℃の水道水９００ｍＬで３分間のすすぎを２回行った。すすいだ後、乾燥させて洗浄後の汚染布の反射率を４６０ｎｍフィルターを使用して測定し、下式によって洗浄率を算出した。
洗浄率（％）＝（汚染布のＫ／Ｓ−洗浄布のＫ／Ｓ）／（汚染布のＫ／Ｓ−未汚染布のＫ／Ｓ）×１００    ・・・（ｉ）
（式（ｉ）中、Ｋ／Ｓは、（１−Ｒ／１００）２／（２Ｒ／１００）であり、汚染布とは、上記人工汚染布、洗浄布とは、該汚染布を洗浄した後の布、未汚垢布とは、汚れを付けていない元の白布（原布）をそれぞれ表し、Ｋは吸光係数、Ｓは散乱係数、Ｒは絶対反射率をそれぞれ表す。）
得られる洗浄率の値が大きいほど洗浄力が高いことを示す。５枚の洗浄率の平均値が８０％以上であれば◎◎（合格）、６５％以上８０％未満であれば◎（合格）、５０％以上６５％未満であれば○（合格）、３５％以上５０％未満であれば△（合格）、３５％未満であれば×（不合格）として評価した。
【００３８】
［すすぎ性評価］
各衣料用粉末洗浄剤組成物１ｇを１Ｌビーカーに用意した２０℃の水道水１Ｌに投入し１分間攪拌した。攪拌後３分間静置し、ビーカーの上から濁りの様子を目視で評価した。
透明であれば◎（合格）、僅かな濁りであれば○（合格）、少しの濁りであれば△（合格）、濁りであれば×（不合格）として評価した。
【００３９】
【表１】
2017149936.tif 000003
【００４０】
【表２】
2017149936.tif 000004
【００４１】
表１、２の結果に示されるように、本発明を適用した実施例１〜１５はいずれも、すすぎ性、及び洗浄力に優れるものであった。
成分（Ｂ）を含まない比較例１は、洗浄力に劣るものであった。
成分（Ｂ）の重量平均分子量が１００００超の比較例２は、洗浄力に劣るものであった。
成分（Ｃ）を含まない比較例３は、洗浄力に劣るものであった。
成分（Ｃ）の含有量が０．４質量％である比較例４は、洗浄力に劣るものであった。
以上の結果から、本発明を適用した衣料用粉末洗浄剤組成物は、すすぎ性、及び洗浄力に優れることを確認できた。